(57)【要約】【課題】乳剤および乳剤を形成するための方法を提供する。【解決手段】いくつかの実施形態において、乳剤は外相、外相の中に分散された複数の液滴を含み、ここで複数の液滴が２つまたはそれよりも多くの成分を含み、２つまたはそれよりも多くの成分が第１の温度で実質的に混和性であり、そして２つまたはそれよりも多くの成分が第２の温度で実質的に非混和性である。いくつかの実施形態において、方法は、流体の温度を第１温度に調節し、流体が、第１温度において、第１相と、第１相に実質的に混和しない第２相とを含み、第２相が実質的に互いに混和性の２つまたはそれよりも多くの成分を含む工程、流体を乳化する工程、そして２つまたはそれよりも多くの成分が実質的に混和しなくなるように、流体の温度を第２温度に調節する工程を含む。【選択図】なし【特許請求の範囲】
【請求項１】
明細書に記載の発明。
【発明の詳細な説明】
【技術分野】
【０００１】
関連出願
本出願は、米国特許法§１１９（ｅ）の下で、２０１４年１０月３１日に出願された同時係属中の米国仮出願特許第６２／０７３，８９６号からの優先権を主張し、あらゆる目的のために、その全体が本明細書において参考として援用される。
【０００２】
技術分野
本発明は、一般的に乳剤および乳剤を形成するための方法に関連する。
【背景技術】
【０００３】
背景
乳化は、連続した液相の中に非混和性の成分を混合し、そして分散させるための、古くからの効果的な技術である。その結果として、乳剤は薬物、食品、および機能性材料の中心的な成分である。薬学および医学診断、食品のための微小滴および被膜の製作、化学的な分離、化粧品、ならびに動的な光学において、複数の乳剤およびヤヌス液滴を含む複合乳剤の重要性が増している。複合乳剤の性質および機能は液滴の形状および組成に関連しているため、液滴の物理的および化学的な特徴の精密な制御を可能にする急速および簡易な製作法の開発が重要である。複合乳剤の製作における重要な利点は、組成の不均質性をもたらす、高せん断力混合および膜を用いた大スケールの精度の低い技術から、小容量のマイクロ流体法にまで及ぶ、多数の手順によって達成される。しかし、改善された材料および方法が必要とされている。
【発明の概要】
【課題を解決するための手段】
【０００４】
発明の概要
本発明は乳剤および乳剤を形成するための方法を提供する。
【０００５】
一つの態様において、乳剤が提供される。いくつかの実施形態において、乳剤は外相、外相の中に分散された複数の液滴を含み、ここで複数の液滴が２つまたはそれよりも多くの成分を含み、２つまたはそれよりも多くの成分が第１の温度で実質的に混和性であり、そして２つまたはそれよりも多くの成分が第２の温度で実質的に非混和性である。
【０００６】
他の態様において、乳剤を形成するための方法が提供される。いくつかの実施形態において、方法は、流体の温度を第１温度に調節し、流体が、第１温度において、第１相と、第１相に実質的に混和しない第２相とを含み、第２相が実質的に互いに混和性の２つまたはそれよりも多くの成分を含む工程、流体を乳化する工程、そして２つまたはそれよりも多くの成分が実質的に混和しなくなるように、流体の温度を第２温度に調節する工程を含む。
【０００７】
本発明の他の利点および新規の特徴は、添付の図面と併せて考察される場合に、種々の非限定的な本発明の実施形態の後述の詳細な説明から明らかになる。本明細書と参考として援用される文書とが相反および／または矛盾した開示を含む場合、本明細書が支配するべきである。参考として援用される２つまたはそれよりも多くの文書がお互いに関して相反および／または矛盾した開示を含む場合、より後の有効日を有する文書が支配するべきである。
【図面の簡単な説明】
【０００８】
【図１Ａ】図１Ａ−１Ｂは、１セットの実施形態による、複合乳剤の形成を例示する。
【０００９】
【図１Ｂ】図１Ａ−１Ｂは、１セットの実施形態による、複合乳剤の形成を例示する。
【００１０】
【図２】図２は、特定の実施形態による、ヘキサンおよびパーフルオロヘキサンを含む複合乳剤の形成の写真を示す。
【００１１】
【図３Ａ】図３Ａは、１セットの実施形態によって形成される、ヘキサンおよびパーフルオロヘキサンを含む複合乳剤の写真を示す。
【００１２】
【図３Ｂ】図３Ｂは、１セットの実施形態によって形成される、ヘキサンおよびパーフルオロヘキサンを含む複合乳剤の写真を示す。
【００１３】
【図４Ａ】図４Ａは、１セットの実施形態によって形成される、ヤヌス液滴の写真を示す。
【００１４】
【図４Ｂ】図４Ｂは、１セットの実施形態によって形成される、重合したヤヌス液滴から形成される粒子の走査型電子顕微鏡写真を示す。
【００１５】
【図４Ｃ】図４Ｃは、１セットの実施形態によって形成される、ヤヌス粒子の走査型電子顕微鏡写真（上）およびフッ素を強調したエネルギー分散型Ｘ線図（下）を示す。
【００１６】
【図５】図５は、１セットの実施形態によって形成される、４相の乳剤を示す。
【発明を実施するための形態】
【００１７】
本発明の他の態様、実施形態、および特徴は、添付の図と併せて考察される場合に、後述の詳細な説明から明らかになる。添付の図面は概略図であり、スケールを合わせて描くことは意図されていない。明確性のために、全ての成分が全ての図において標識されるわけではなく、図が示された本発明のそれぞれの実施形態の全ての成分が、当業者が本発明を理解することを可能にするために必要というわけではない。本明細書において参考として援用される全ての特許出願および特許は、それらの全体にわたって参考として援用される。相反する場合、定義を含めて本明細書が支配する。
【００１８】
詳細な説明
本明細書に記載される実施形態は、乳剤（例えば、複合乳剤）の形成に有用であり得る。方法は、多相（例えば、３相や４相）の乳剤（例えば、複合乳剤）の１工程での作製を可能にし、数ある用途の中で食品製造、ドラッグデリバリー、医学診断、機能性材料、化粧品、ＭＲＩ、および超音波造影剤、人工血液を含む多くの用途に対して有用であり得る。さらに、本明細書に記載される方法および乳剤は、制御された再構築可能な形態を有する乳剤を形成することを可能にし得る。本明細書に記載される乳剤および方法によって提供される他の利点となる特徴は、追加の成分（例えば、磁性のナノ粒子、生体材料、ポリマー、金属など）を様々な応用に容易に組み込む能力である。乳剤（例えば、複合乳剤）もまた提供される。
【００１９】
いくつかの実施形態において、方法および乳剤は、外相および外相中に分散された複数の液滴を含む。特定の実施形態において、複数の液滴は２つまたはそれよりも多くの成分を含む。２つまたはそれよりも多くの成分は、温度範囲（例えば、臨界温度未満、臨界温度超）で実質的に混和性であり得る。また、２つまたはそれよりも多くの成分は、それらが混和性である温度範囲とは異なる温度範囲（例えば、臨界温度超、臨界温度未満）で実質的に非混和性であり得る。異なる温度で異なる混和性を有する２つまたはそれよりも多くの成分の使用は、以前の方法（例えば、低収率のマイクロ流体デバイス、複数工程のプロセス、溶媒添加の必要性および／または抽出など）の限界にとらわれない、乳剤（例えば、複合乳剤）の１工程での作製（例えば、バルク）を可能にし得る。
【００２０】
いくつかの実施形態において、複数の液滴は２つまたはそれよりも多くの成分を含み、ここで２つまたはそれよりも多くの成分は臨界温度よりも低い、または高い温度で非混和性である。いくつかの実施形態において、臨界温度は２つまたはそれよりも多くの成分の上限共溶温度である。すなわち、そのようないくつかの実施形態において、２つの成分は、２つまたはそれよりも多くの成分の上限共溶温度よりも高い温度で実質的に混和性であり、そして２つまたはそれよりも多くの成分の上限共溶温度よりも低い温度で実質的に非混和性である。いくつかの実施形態において、臨界温度は２つまたはそれよりも多くの成分の下限共溶温度である。すなわち、そのようないくつかの実施形態において、２つの成分は、２つまたはそれよりも多くの成分の下限共溶温度よりも低い温度で実質的に混和性であり、そして２つまたはそれよりも多くの成分の下限共溶温度よりも高い温度で実質的に非混和性である。いくつかの実施形態において、２つまたはそれよりも多くの成分の混和性は可逆である。すなわち、いくつかの実施形態において、温度を臨界温度よりも高い温度まで上昇させること、または臨界温度よりも低い温度まで低下させることにより、２つまたはそれよりも多くの成分の混和性は変化させられ得る。
【００２１】
いくつかの実施形態において、２つまたはそれよりも多くの成分は、約０℃よりも高いもしくは等しい、約５℃よりも高いもしくは等しい、約８℃よりも高いもしくは等しい、約１０℃よりも高いもしくは等しい、約１５℃よりも高いもしくは等しい、約１８℃よりも高いもしくは等しい、約２０℃よりも高いもしくは等しい、約２２℃よりも高いもしくは等しい、約２５℃よりも高いもしくは等しい、約２７℃よりも高いもしくは等しい、約３０℃よりも高いもしくは等しい、約３５℃よりも高いもしくは等しい、約４０℃よりも高いもしくは等しい、約５０℃よりも高いもしくは等しい、約５５℃よりも高いもしくは等しい、または約６０℃よりも高いもしくは等しい上限共溶温度を有し得る。特定の実施形態において、２つまたはそれよりも多くの成分の上限共溶温度は約７０℃未満、約６０℃未満、約５５℃未満、約５０℃未満、約４０℃未満、約３５℃未満、約３０℃未満、約２７℃未満、約２５℃未満、約２２℃未満、約２０℃未満、約１８℃未満、約１５℃未満、約１０℃未満、約８℃未満、または約５℃未満である。また、上述の範囲を組み合わせることは可能である（例えば、約０℃よりも高いまたは等しく、７０℃未満の上限共溶温度）。他の範囲も可能である。当業者は、２つまたはそれよりも多くの成分の上限共溶温度を決定するために、適切な方法を選択できる。
【００２２】
いくつかの実施形態において、２つまたはそれよりも多くの成分は、約０℃よりも高いもしくは等しい、約５℃よりも高いもしくは等しい、約８℃よりも高いもしくは等しい、約１０℃よりも高いもしくは等しい、約１５℃よりも高いもしくは等しい、約１８℃よりも高いもしくは等しい、約２０℃よりも高いもしくは等しい、約２２℃よりも高いもしくは等しい、約２５℃よりも高いもしくは等しい、約２７℃よりも高いもしくは等しい、約３０℃よりも高いもしくは等しい、約３５℃よりも高いもしくは等しい、約４０℃よりも高いもしくは等しい、約５０℃よりも高いもしくは等しい、約５５℃よりも高いもしくは等しい、または約６０℃よりも高いもしくは等しい下限共溶温度を有し得る。特定の実施形態において、２つの成分の下限共溶温度は約７０℃未満、約６０℃未満、約５５℃未満、約５０℃未満、約４０℃未満、約３５℃未満、約３０℃未満、約２７℃未満、約２５℃未満、約２２℃未満、約２０℃未満、約１８℃未満、約１５℃未満、約１０℃未満、約８℃未満、または約５℃未満である。また、上述の範囲を組み合わせることは可能である（例えば、約０℃よりも高いまたは等しく、７０℃未満の下限共溶温度）。他の範囲も可能である。当業者は、２つまたはそれよりも多くの成分の下限共溶温度を決定するために、適切な方法を選択できる。
【００２３】
いくつかの実施形態において、２つまたはそれよりも多くの成分は第２温度と比べて第１温度でより高い混和性を有する。すなわち、２つまたはそれよりも多くの成分は、第１温度である程度まで混和し、第２温度でより少ない程度（例えば、ある程度は非混和である）に混和し得る。
【００２４】
いくつかの場合において、２つまたはそれよりも多くの成分は、圧力範囲（例えば、臨界圧よりも低い、または臨界圧よりも高い）で、実質的に混和性であり得る。また、２つまたはそれよりも多くの成分は、それらが混和性である圧力範囲とは異なる圧力範囲（例えば、臨界圧よりも高い、または臨界圧よりも低い）で、実質的に非混和性であり得る。異なる圧力で異なる混和性を有する２つまたはそれよりも多くの成分の使用は、以前の方法（例えば、低収率のマイクロ流体デバイス、複数工程のプロセス、溶媒添加の必要性および／または抽出など）の限界にとらわれない、乳剤（例えば、複合乳剤）の１工程での作製（例えば、バルク）を可能にし得る。
【００２５】
当業者は、以下の本明細書および実施例の教示に基づいて、本明細書に記載される乳剤を形成するために、適切な温度および／または圧力の範囲を選択でき、そしてこれらの温度範囲および／または圧力範囲が、２つまたはそれよりも多くの成分が実質的に流体を維持する範囲（例えば、２つまたはそれよりも多くの成分の沸点より低く、２つまたはそれよりも多くの成分の凝固点よりも高い）を含むことを一般的に理解する。いくつかの実施形態において、適切な温度範囲および／または圧力範囲にわたって、２つまたはそれよりも多くの成分は外相と非混和である。
【００２６】
本明細書で用いられる非混和性とは、逆懸滴ゴニオメーターによって決定される場合に、０．０１ｍＮ／ｍよりも大きいまたは等しい界面張力を有する２つの成分（または、相および成分）をいう。逆に、本明細書で用いられる混和性とは、逆懸滴ゴニオメーターによって決定される場合に、０．０１ｍＮ／ｍ未満の界面張力を有する２つの成分（または、相および成分）をいう。
【００２７】
いくつかの実施形態において、２つまたはそれよりも多くの成分が非混和性である温度（および／または圧力）で、２つまたはそれよりも多くの成分は、第１成分および少なくとも第１成分の中に部分的に封入される第２成分を含む。特定の実施形態において、２つまたはそれよりも多くの成分が非混和性である温度（および／または圧力）で、２つまたはそれよりも多くの成分は、互いに被包しないが、ヤヌス液滴を形成するために外相（または少なくとも２つまたはそれよりも多くの成分を部分的に封入する追加成分）と相互作用する。ヤヌス液滴は、一般的に、互いに被包しない２つまたはそれよりも多くの異なる成分を含む、２つまたはそれよりも多くの別個の部位に分割される液滴である。例えば、いくつかの実施形態において、乳剤は、水相と炭化水素およびフッ化炭素を含む複数の液滴とを含み、ここで複数の液滴はヤヌス液滴である。
【００２８】
本明細書で用いられる「成分」という用語は、一般的に実質的に類似の分子群、実質的に類似の化合物群、および／または相（例えば、非水相、水相）を含む液滴の一部をいう。当業者は、単一の分子または原子をいうことを意図しないことを理解する。いくつかの実施形態において、成分は、実質的に類似の化合物および／または分子の群を含む液相（例えば、気相、水相、非水相）である。例えば、いくつかの場合において、各成分は、２つまたはそれよりも多くの成分の総重量の少なくとも約１ｖｏｌ％、少なくとも約２ｖｏｌ％、少なくとも約５ｖｏｌ％、少なくとも約１０ｖｏｌ％、少なくとも約２０ｖｏｌ％、少なくとも約５０ｖｏｌ％、少なくとも約７０ｖｏｌ％、少なくとも約９０ｖｏｌ％、少なくとも約９５ｖｏｌ％、または少なくとも約９９ｖｏｌ％を占める。
【００２９】
いくつかの実施形態において、２つまたはそれよりも多くの成分のうち少なくとも１つは炭化水素を含む。適切な炭化水素の例として、アルカン（例えば、ヘキサン、ヘプタン、デカン、ドデカン、ヘキサデカン）、アルケン、アルキン、芳香族（例えば、ベンゼン、トルエン、キシレン、ベンジルベンゾエート、ジエチルフタレート）、オイル（例えば、天然油、ならびに野菜油、鉱物油、およびオリーブオイルを含む混合油）、液体モノマーおよび／またはポリマー（例えば、ヘキサンジオールジアクリレート、ブタンジオールジアクリレート、ポリエチレングリコール、トリメチロールプロパンエトキシレートトリアクリレート）、アルコール（例えば、ブタノール、オクタノール、ペンタノール、エタノール、イソプロパノール）、エーテル（例えば、ジエチルエーテル、ジエチレングリコール、ジメチルエーテル）、ジメチルホルムアミド、アセトニトリル、ニトロメタン、ハロゲン化液体（例えば、クロロホルム、ジクロロベンゼン、塩化メチレン、四塩化炭素）、ブロモ化液体、ヨウ素化液体、乳酸（例えば、乳酸エチル）、酸（例えば、クエン酸、酢酸）、液晶（４−シアノ−４’−ペンチルビフェニル）、トリメチルアミン、液晶炭化水素（例えば、５−シアノビフェニル）、それらの組み合わせ、および必要に応じて置換されたそれらの誘導体などが挙げられるが、これらに限定されない。いくつかの実施形態において、炭化水素はハロゲン基、硫黄、窒素、（ｐｈｏｓｐｈｏｒｏｕｓ）、酸素などを含む。他の炭化水素も可能である。
【００３０】
いくつかの実施形態において、２つまたはそれよりも多くの成分の少なくとも１つはフッ化炭素を含む。適切なフッ化炭素の例として、パーフルオロアルカン（例えば、パーフルオロヘキサン、パーフルオロオクタン、パーフルオロデカリン、パーフルオロメチルシクロヘキサン）、パーフルオロアルケン（例えば、パーフルオロベンゼン）、パーフルオロアルキン、および分枝フッ化炭素（例えば、パーフルオロトリブチルアミン）などのフッ素化した化合物が挙げられるが、これらに限定されない。適切なフッ化炭素のさらなる例として、メトキシパーフルオロブタン、エチルノナフルオロブチルエーテル、２Ｈ，３Ｈ−パーフルオロペンタン、トリフルオロトルエン、パーフルオロヨージド（ｐｅｒｆｌｕｏｒｏｉｄｏｄｉｄｅ）、フッ素化されたまたは部分的にフッ素化されたオリゴマー、２，２，３，３，４，４，５，５，６，６，７，７，８，８，９，９−ヘキサデカフルオロデカン−１，１０−ジイルビス（２−メチルアクリレート）、パーフルオロヨージド、および２−（トリフルオロメチル）−３−エトキシドデカフルオロヘキサンなどの部分的にフッ素化された化合物が挙げられるが、これらに限定されない。他のフッ化炭素も可能である。
【００３１】
いくつかの実施形態において、２つまたはそれよりも多くの成分の少なくとも１つはシリコーンオイルなどのシリコーンを含む。適切なシリコーンオイルの例として、ポリジメチルシロキサンおよびシクロシロキサン流体が挙げられるが、これらに限定されない。
【００３２】
いくつかの実施形態において、２つまたはそれよりも多くの成分の少なくとも１つは水を含む。
【００３３】
いくつかの実施形態において、２つまたはそれよりも多くの成分の少なくとも１つはイオン性液体（例えば、電解質、液体の塩）を含む。いくつかの実施形態において、２つまたはそれよりも多くの内相の少なくとも１つはイオン性液体（例えば、電解質、液体の塩、１−アリル−３−メチルイミダゾリウムブロミド、１−アリル−３−メチルイミダゾリウムクロリド、１−ベンジル−３−メチルイミダゾリウムヘキサフルオロホスフェート、１−ブチル−１−メチルピロリジニウムヘキサフルオロホスフェート）を含む。いくつかの実施形態において、外相は水を含む。特定の実施形態において、２つまたはそれよりも多くの成分の少なくとも１つは重水素化化合物（例えば、重水素化炭化水素）を含む。
【００３４】
いくつかの実施形態において、２つまたはそれよりも多くの成分の少なくとも１つは塩素化された溶媒（例えば、クロロホルム、四塩化炭素）を含む。
【００３５】
いくつかの実施形態において、２つまたはそれよりも多くの成分の少なくとも１つはポリマー（例えば、ポリエチレングリコール）を含む。特定の実施形態において、ポリマーはブロックコポリマーである。特定の実施形態において、ポリマーは液晶ポリマー（例えば、サーモトロピック液晶ポリマー）である。特定の実施形態において、バイオポリマー（例えば、ゼラチン、アルジネート）である。
【００３６】
本明細書に記載される乳剤中に存在する成分の組み合わせの例として、ヘキサンおよびパーフルオロヘキサン、四塩化炭素およびパーフルオロヘキサン、クロロホルムおよびパーフルオロヘキサン、ヘキサンおよびパーフルオロデカリン、ヘキサンおよびパーフルオロメチルシクロヘキサン、ヘキサンおよびパーフルオロトリブチルアミン、イソプロパノールおよびヘキサデカリン、乳酸エチルおよびヘプタン、酢酸およびデカン、ならびにトリエチルアミンおよび水が挙げられるが、これらに限定されない。他の組み合わせおよび材料も可能である。
【００３７】
いくつかの実施形態において、２つまたはそれよりも多くの成分の少なくとも１つは気体（例えば、パーフルオロペンタンガス）を含む。
【００３８】
いくつかの実施形態において、２つまたはそれよりも多くの成分の少なくとも１つは上記に記載される材料（例えば、炭化水素、フッ化炭素、シリコーン、またはそれらの組み合わせを含む）の組み合わせを含む。本明細書に記載される乳剤中に存在する成分の組み合わせの例として、ヘキサンおよびパーフルオロヘキサン、四塩化炭素およびパーフルオロヘキサン、クロロホルムおよびパーフルオロヘキサン、ヘキサンおよびパーフルオロデカリン、ヘキサンおよびパーフルオロメチルシクロヘキサン、ヘキサンおよびパーフルオロトリブチルアミン、イソプロパノールおよびヘキサデカリン、乳酸エチルおよびヘプタン、酢酸およびデカン、ならびにトリエチルアミンおよび水が挙げられるが、これらに限定されない。他の組み合わせおよび材料も可能である。
【００３９】
いくつかの実施形態において、２つまたはそれよりも多くの成分の少なくとも１つは上記に記載される材料（例えば、炭化水素、フッ化炭素、シリコーン、またはそれらの組み合わせを含む）の組み合わせを含む。
【００４０】
上記に記載されるように、当業者は、下記の明細書および実施例の教示に基づいて、２つまたはそれよりも多くの成分が、与えられた温度範囲下で混和であり、異なる温度範囲下で非混和であるような適切な成分を選択することができる。
【００４１】
外相は、あらゆる適切な材料を含み得る。一般的に、複数の液滴を含む２つまたはそれよりも多くの成分は、実質的に外相と非混和であり得る。いくつかの実施形態において、外相は水相である（例えば水を含む）。特定の実施形態において、外相は、非水相である。いくつかの実施形態において、非水相は、２つまたはそれよりも多くの成分の文脈において上記されたように、２つまたはそれよりも多くの成分と実質的に混和しない、炭化水素、フッ化炭素、シリコーン、または同様のものを含む。当業者は、下記の明細書および実施例の教示に基づいて、材料の混和性に基づいて（例えば、２つまたはそれよりも多くの成分が実質的に外相と非混和であるような）、外相としての使用のために適切な材料を選択することができる。非水性の外相の使用は、乳剤が低湿度環境で用いられる特定の用途において、有益であり得る。例えば、フッ化炭素／炭化水素相を含む複数の液滴は、液体のシリコーンマトリックス中で生成され得る。シリコーンは、その機械的な性質を変えるために、架橋重合され得る。いくつかの実施形態において、液滴の少なくとも１部分は、外相を機械的に変形すること（例えば、外相に機械的な力を適用すること）により変形および／または整列され得る。
【００４２】
いくつかの実施形態において、乳剤は両親媒性化合物を含む。特定の実施形態において、両親媒性化合物は外相において混和性である。いくつかの実施形態において、両親媒性化合物は、２つまたはそれよりも多くの成分の少なくとも１つにおいて混和性である。特定の実施形態において、両親媒性化合物は、２つまたはそれよりも多くの成分の少なくとも１つにおいて、外相における混和性よりも高い混和性を有する。いくつかの実施形態において、両親媒性化合物は、外相と複数の液滴との間の境界に配置される。特定の実施形態において、両親媒性化合物は、２つまたはそれよりも多くの成分の少なくとも２つの間の境界に配置される。両親媒性化合物は、１つもしくはそれよりも多くの成分または外相と、選択的に相互作用し得る。当業者は、下記の明細書および実施例の教示に基づいて、適切な両親媒性化合物を選択することができる。
【００４３】
いくつかの実施形態において、両親媒性化合物は界面活性剤である。適切な界面活性剤の例として、イオン性界面活性剤、非イオン性界面活性剤、および双性イオン界面活性剤が挙げられるが、これらに限定されない。いくつかの実施形態において、界面活性剤は、フッ素系界面活性剤（例えば、Ｚｏｎｙｌ（登録商標）またはＣａｐｓｔｏｎｅ（登録商標）のような商業的に利用可能なフッ素系界面活性剤）である。特定の実施形態において、界面活性剤はアニオン界面活性剤（例えば、ドデシル硫酸ナトリウム（ＳＤＳ））、カチオン界面活性剤（例えば、アルキルトリメチル塩化アンモニウム、アルキルメチル臭化アンモニウム）、非イオン性界面活性剤（例えば、アルキルポリ（エチレンオキシド））、双性イオン界面活性剤（例えば、アルキルベタイン（ｂｅｔａｉｎ）、Ｃ８−レシチン）、高分子界面活性剤、ジェミニ型界面活性剤、微粒子界面活性剤（例えば、酸化グラフェン、シリカ粒子）、およびそれらの組み合わせである。他の界面活性剤も可能である。いくつかの実施形態において、両親媒性化合物は核酸（例えば、ＤＮＡ、ＲＮＡ）である。特定の実施形態において、両親媒性化合物はアミノ酸（例えば、ペプチド、蛋白質）を含む。いくつかの実施形態において、両親媒性化合物は生体材料を含む。適切な生体材料の例として、炭水化物もしくはそれらの誘導体、サッカリドもしくはそれらの誘導体（例えば、シアリン酸）、脂質もしくはそれらの誘導体、酵素、クロモフォアなどが挙げられるが、これらに限定されない。当業者は、下記の明細書および実施例の教示に基づいて、適切な生体材料を選択することができる。
【００４４】
いくつかの実施形態において、両親媒性化合物は過フッ素化セグメントを含む。いくつかの実施形態において、両親媒性化合物はエチレングリコールを含む。
【００４５】
いくつかの実施形態において、両親媒性化合物は金属錯体を形成することができる。
【００４６】
特定の実施形態において、両親媒性化合物は酸化グラフェンである。
【００４７】
いくつかの実施形態において、両親媒性化合物は粒子（例えば、シリカ粒子、ポリマー粒子、ヤヌス粒子、ナノ粒子、ゲル粒子）であり得る。
【００４８】
いくつかの実施形態において、１つまたはそれよりも多くの成分および／または外相は、１つまたはそれよりも多くの成分および／または外相中で分散された追加化合物を含む。特定の実施形態において、追加化合物は、第１成分中で混和性であって分散性であり、第２成分中では非混和性であり、分散性でない。いくつかの場合において、追加化合物の少なくとも１部分は、第１成分中で分散性であり、第２成分中（例えば、界面活性剤）で分散性でない。いくつかの実施形態において、追加化合物は、外相において分散性であってもよく、分散性でなくてもよい。適切な追加化合物の例として、粒子（例えば、磁性粒子／ナノ粒子、シリカ粒子）、生体分子（例えば、インスリン）、医薬化合物、ポリマー、界面活性剤、細胞、バクテリア、ウイルス、医薬品有効成分、および金属または金属粒子が挙げられるが、これらに限定されない。他の追加化合物も可能であり、当業者は、本明細書の教示に基づいて、そのような化合物を選択することができる。
【００４９】
いくつかの実施形態において、外相および２つまたはそれよりも多くの非混和性の成分を含む流体の温度を、２つまたはそれよりも多くの成分が互いに実質的に混和性になるように調節すること、ならびに流体を乳化させること（例えば、それによって複数の液滴を形成すること）により、乳剤は形成され得る。特定の実施形態において、方法は、複数の液滴を含む流体の温度を、２つまたはそれよりも多くの成分が実質的に非混和性になるように調節することを含む。
【００５０】
例えば、図１Ａに例示されるように、流体１００Ａは、第１温度Ｔ０で非混和性である第１成分１１０（例えば、炭化水素）および第２成分１２０（例えば、フッ化炭素）を含む。いくつかの実施形態において、Ｔ０は、流体１００Ｂ中で第１成分および第２成分が混和性混合物１３０を形成するような第２温度Ｔ１（例えば、ここでＴ１はＴ０よりも高い、またはＴ１はＴ０よりも低い）に調節される。例えば、いくつかの実施形態において、第１成分および第２成分は、はじめは実質的に非混和性であり、混和性になるように加熱され得る。特定の実施形態において、第１成分および第２成分は、はじめは実質的に非混和性であり、混和性になるように冷却され得る。特定の実施形態において、混和性混合物１３０は乳化され、複数の液滴１３２を含む乳剤１００Ｃを形成し得る。複数の液滴１３２は混和混合物１３０を含み得、外相１４０中に存在し得る。いくつかの場合において、外相１４０は、Ｔ０からＴ１まで温度を変化させる前に添加され得る。特定の実施形態において、外相１４０は、温度を変化させた後だが乳化する前に添加され得る。
【００５１】
いくつかの実施形態において、Ｔ１は、液滴１３２が、第１成分１１０、および液滴の中に含まれる第１成分１１０と実質的に非混和性である第２成分１２０を含むような温度Ｔ２（例えば、ここでＴ２はＴ１よりも高い温度、またはここでＴ２はＴ１よりも低い温度）に調節される。いくつかのそのような実施形態において、第１成分１１０は、第２成分１２０によって、少なくとも部分的に封入され得る。いくつかの実施形態において、第１成分１１０および第２成分１２０は、封入されないが、ヤヌス粒子を形成する（図１Ｂ）。
【００５２】
いくつかの実施形態において、Ｔ１は、２つまたはそれよりも多くの成分の臨界温度（例えば、２つまたはそれよりも多くの成分の上限共溶温度）よりも高い温度である。特定の実施形態において、Ｔ１は、２つまたはそれよりも多くの成分の臨界温度（例えば、下限共溶温度）よりも低い温度である。当業者は、２つまたはそれよりも多くの成分の臨界温度（例えば、上限共溶温度、下限共溶温度）を決定するための、適切な方法を選択することができる。
【００５３】
流体を乳化させるための適切な方法は、当該分野で公知であり、超音波処理、高せん断力混合、振とう、流体を膜を通過させること、または小径のチャネルを通して２つまたはそれよりも多くの成分を外相へと注入することを含み得る。
【００５４】
いくつかの実施形態において、第１の構造、第１の構造と異なる第２の構造、および／またはヤヌス液滴構造の固形の液滴が形成され得るように、複数の液滴の１部は固形化（例えば、重合）され得る。当業者は、液滴を固形化するための適切な材料を選択することができ、液滴を固形化することは、いくつかの実施形態において、架橋剤（例えば、フッ素化アクリレート）が２つまたはそれよりも多くの成分の少なくとも１つ（ここで、２つまたはそれよりも多くの成分の少なくとも１つは架橋性ポリマーを含む）と架橋結合するように、架橋剤をコロイドに添加することを含み得る。特定の実施形態において、液滴を固形化することは、ゲル化剤（例えば、カルシウムと架橋したアルジネート、ゼラチン、寒天など）を添加することを含む。いくつかの実施形態において、液滴を固形化することは、液滴を乾燥させることを含む。特定の実施形態において、液滴を固形化することは、１つまたはそれよりも多くの成分（例えば、新規の温度未満で固形化する液晶または液晶ポリマーを含む成分、温度変化が液体を固形化するように、比較的高い凝固点を有する液体を含む成分）が固形化するように、温度を変化させることを含む。液滴を固形化する他の方法も可能であり、当該分野で周知である。
【実施例】
【００５５】
実施例
下記の実施例は、本発明の特定の局面の実施形態を例示する。本明細書に記載される方法および／または材料は、当業者に周知であるように、改変され、そして／もしくは図られ得ることと理解されるべきである。
【００５６】
実施例１
下記の実施例は、一般的な乳剤の形成を記載する。例えば、炭化水素およびフッ化炭素の液体を、混和性になるまで加熱し、そして乳化させた。必要とされる温度は、溶液に応じて変化した。溶液を、振とうまたは同軸のガラスキャピラリーマイクロフルイディクスによってバルク中で乳化させ、そして冷却することで相分離を誘発させた。ヘキサン−パーフルオロヘキサン乳剤に関して、撮像する前に乳剤を氷で冷却し、２０℃未満の温度を保つために低温水浴に浸しながら、しばしば撮像した。マイクロフルイディクスに関して、マイクロピペットプラー（Ｓｕｔｔｅｒ  Ｉｎｓｔｒｕｍｅｎｔ  Ｃｏｍｐａｎｙ）を用いて先端３０μｍへ引っ張られた、外側のスクエアキャピラリーおよび内側の円筒形キャピラリーから作製されるガラス製キャピラリーのマイクロ流体デバイスを用いて、シリンジポンプを用いて外相および内相を注入した。加熱ランプを用いて、マイクロ流体装置を、内相溶液のＴｃよりも高い温度に加熱した。その後、乳剤をＴｃよりも低い温度に冷却し、相分離を誘発させた。用いられた期間中（例えば、注文日に（ｏｎ  ｔｈｅ  ｏｒｄｅｒ  ｄａｙｓ））、乳剤が安定しているのを観察した。
【００５７】
実施例２
下記の実施例は、乳剤の形成を記載する。実施例１に記載される方法による。
【００５８】
フッ化炭素は、一般的に疎油性ならびに疎水性であり、多くのフッ化炭素および炭化水素の液体は、室温で非混和性であるが、低い上限共溶温度（ＴＣ）を有し、穏やかな加熱で混合する。例えば、ヘキサンおよびパーフルオロヘキサンは、２２．６５℃のＴＣを有する。体積比が１：１のヘキサンおよびパーフルオロヘキサンを、Ｚｏｎｙｌ  ＦＳ−３００フルオロスルファクタントの水溶液中において、ＴＣよりも高い温度で混合し、乳化した（図２、左上）。ＴＣよりも低い温度に冷却することで、相分離を誘発し、構造化された複合液滴をもたらした（図２、右下）。ＴＣよりも高い温度で、ヘキサンおよびパーフルオロヘキサンは、混和性であり、０．１％のＺｏｎｙｌ中において乳化する（図２、左上）。ＴＣよりも低い温度で、ヘキサンおよびパーフルオロヘキサン相は分離し、水中−パーフルオロヘキサン中−ヘキサン（Ｈ／Ｆ／Ｗ）２重乳剤が生み出される（図２、右下）。この相分離は、可逆性であった。界面活性剤溶液中の温かいヘキサン−パーフルオロヘキサン液体を振とうすることにより、これらの複合乳剤を、バルク中で容易に生成した（図３Ａ）。これらの液滴は多分散系であったが、液滴の形態および組成は、高度に不変性であった。相分離の間の化学的な分割が、溶質の直接的な区分化をもたらし（図３Ｂ）、マイクロ流体デバイス中で、ヘキサン／パーフルオロヘキサン／水二重乳剤の液滴を形成する。それ故、温度誘導による液体の相分離は、複合的で機能的な乳剤の製作への簡易で拡大可能な取り組みを提供する。
【００５９】
実施例３
下記の実施例は、ヤヌス液滴を含む乳剤の形成を記載する。
【００６０】
有機フッ化物−炭化水素のヤヌス液滴中の異なる区画において、異なる化学的性質に影響をおよぼすことにより、非対称の性質を有する液体の液滴と固体の液滴とを生成した。方向性を定めることができ、動かすことができる液体のヤヌス液滴を生成するために、炭化水素相に優先的に分割するための、オレイン酸で安定させた磁性Ｆｅ３Ｏ４ナノ粒子を合成した。磁性のナノ粒子を、下記の通りに作製した：８０℃の水５０ｍｌの中で、１．６ｇのＦｅＣｌ３および１ｇのＦｅＣｌ２・４Ｈ２Ｏを含む酸性溶液に、２５ｍｌの濃縮ＮＨ３ＯＨを添加した。磁性ナノ粒子の沈殿を磁石で集め、水で洗浄し、そして再分散させた。室温での攪拌下で、水１０ｍｌ中のオレイン酸ナトリウム１ｇを添加した。油性の黒色沈殿を、ヘキサンで抽出した。溶媒の蒸発によって固体を回収し、続けてジクロロベンゼン中に分散させた。ナノ粒子／ジクロロベンゼンおよびエチルノナフルオロブチルエーテルをＴＣよりも高い温度で加熱し、そして比が２．５対１の０．２％のＳＤＳおよび０．２％のＺｏｎｙｌ中で振とうすることにより、ヤヌス液滴を得た。ネオジム磁石を用いることで、液滴を方向付けした。ジクロロベンゼンおよびエチルノナフルオロブチルエーテルのヤヌス乳剤の包含の際に、ナノ粒子／ジクロロベンゼンの半球は、素早く磁石の方法を向き、動く（図４Ａ）。
【００６１】
固体の半球の液滴を生成するために、液体のポリマー前駆体である、炭化水素相として１，６−ヘキサンジオールジアクリレート、および有機フッ化物相としてメトキシパーフルオロブタン、からなる乳剤を重合した（図４Ｂ）。４％のＤａｒｏｃｕｒ  １１７３光開始剤を有する１，６−ヘキサンジオールジアクリレートを、等容量のメトキシパーフルオロブタンとともにＴＣよりも高い温度で加熱し、そして乳化させた。比率３：２の１％ＳＤＳと１％Ｚｏｎｙｌが、ヤヌス液滴をもたらし、その後これを氷上で冷却しながら、ＵＶランプの下で重合した。メトキシパーフルオロブタンを、フッ素化したアクリレートのオリゴマーおよび架橋剤に置き換えることにより、フッ素化した側とフッ素化してない側とを有する球状の固体のヤヌス液滴を生成した（図４Ｃ）。
【００６２】
実施例４
３相の乳剤で観察され、実施例１に記載される液滴の変形の同一の原理を４相の系へと拡大し、それによって、再構築可能なより高次の複合性の液滴を生成した。シリコーン油（Ｓｉ）、炭化水素油（Ｈ、鉱物油、およびオクタデカン）、およびフッ素化油（Ｆ、エチルノナフルオロブチルエーテル）を含む系を、液体が加熱によって混合し、室温で３相に分割されるように設計した（図５）。２０ｗｔ％のオクタデカン（他の液体との混合物におけるＴＣを減少させるために用いられる）を有する軽鉱物油、シリコーン油、およびエチルノナフルオロブチルエーテルを、体積比６：７：１３で内相として用いた。鉱物油とエチルノナフルオロブチルエーテルの両方がシリコーン油に分配され、その結果、相分離の際にシリコーン油がいくらかの量の他の２相で強化された。様々な比率の１％Ｚｏｎｙｌと１％ＳＤＳとの水性混合物を外相として用い、そして振とうによりバルク中で乳剤を形成した。
【００６３】
本発明のいくつかの実施形態は、本明細書において記載され、例示されている一方で、当業者は、本明細書に記載される機能の実行、および／または結果の取得および／または１つまたはそれよりも多くの利点のための様々な他の手段、および／または構造を容易に企図し、そしてそのような変化および／または変形のそれぞれが、本発明の範囲内にあるとみなされる。より一般的には、当業者は、本明細書に記載される全てのパラメーター、寸法、材料、および構造が例示的なものであることを意味し、実際のパラメーター、寸法、材料、および／または構造は、特定の用途または本発明の教示が用いられる用途次第であることを、容易に認識する。当業者は、日常的な実験を用いるだけで、本明細書に記載される本発明の特定の実施形態の多くの等価物を認識するか、または確認することができる。それ故、前述の実施形態が単に例として提示され、そして添付の特許請求の範囲およびそれらの等価物の範囲内で、本発明は明確に記載および請求される方法以外の方法で実施され得ることが、理解されるべきである。本発明は、本明細書に記載される、個々の特徴、系、物品、材料、キットおよび／または方法を対象にする。加えて、２つまたはそれよりも多くのそのような特徴、系、物品、材料、キットおよび／または方法のあらゆる組み合わせは、そのような特徴、系、物品、材料、道具一式および／または方法が互いに矛盾していない場合、本発明の範囲内に含まれる。
【００６４】
本明細書中および特許請求の範囲で用いられる不定冠詞「ａ」および「ａｎ」は、明示的にそうでないと示されない限り、「少なくとも一つ」を意味すると理解されるべきである。
【００６５】
本明細書および特許請求の範囲において用いられる「および／または」という句は、そのように接続された要素の「どちらか、または両方」、すなわち、いくつかの場合において連続的に存在し、他の場合において分離して存在する要素を意味すると理解されるべきである。明示的にそうでないと示されない限り、「および／または」の句によって具体的に特定される要素以外の他の要素も、具体的に特定されたそれらの要素に関連しようと関連しまいと、必要に応じて存在してもよい。従って、例として、「含む」のようなオープンエンドの用語と組み合わせて用いられる場合、「Ａおよび／またはＢ」への言及は、１つの実施形態において、ＢなしのＡ（必要に応じてＢ以外の要素を含む）を、別の実施形態においては、ＡなしのＢ（必要に応じてＡ以外の要素を含む）を、さらに別の実施形態においては、ＡとＢの両方（必要に応じて他の要素を含む）などをいい得るが、これらに限定されない。
【００６６】
本明細書および特許請求の範囲で用いられる「または」は、上記で定義された「および／または」と同じ意味を有することと理解されるべきである。例えば、列挙の項目を分割する場合、「または」または「および／または」は、包含的なものとして解釈されるべきであり、すなわち、要素の数または列挙の少なくとも１つを含むが、1つよりも多くのもの、そして必要に応じて追加の列挙されていない項目も含む。例えば「〜のうちの１つだけ」、または「〜のうちのただ１つ」、または特許請求の範囲において用いられる「〜からなる」のような明確にそうでないと示す用語だけが、要素の数または列挙のただ１つの要素の包含をいう。一般的に、本明細書において用いられる「または」という用語は、排他的な用語（例えば、「いずれか一方」、「のうちの１つの」、「のうちの１つだけ」、「のただ１つ」）が先行する場合にも、排他的な選択肢（すなわち、「一方または他方であって、両方ではない」）を示すものとして解釈されるべきである。特許請求の範囲において用いられる「本質的に〜からなる」は、特許法の分野で用いられる通常の意味を有するべきである。
【００６７】
本明細書および特許請求の範囲において用いられる、１つまたはそれよりも多くの要素の列挙に関連する「少なくとも１つ」という句は、要素の列挙において、任意の１つまたはそれよりも多くの要素から選択される、少なくとも１つの要素を意味するが、要素の列挙内に明確に記載される、各々の要素全てのうちの少なくとも１つを含む必要はなく、要素の列挙における任意の要素の組み合わせを除かないことと理解されるべきである。また、この定義は、要素が、「少なくとも１つ」という句が示す要素の列挙内に具体的に特定された要素以外に、具体的に特定されたそれらの要素と関連する関連しないに関わらず、必要に応じて存在し得ることを許容する。従って、限定されない例として「ＡおよびＢの少なくとも１つ」（または、等価的に「ＡまたはＢの少なくとも１つ」、または、等価的に「Ａおよび／またはＢの少なくとも１つ」）は、１つの実施形態においては、Ｂが存在せず（そして必要に応じてＢ以外の要素を含む）、少なくとも１つのＡ（必要に応じて１つよりも多くのＡを含む）を、別の実施形態においては、Ａが存在せず（そして必要に応じてＡ以外の要素を含む）、少なくとも１つのＢ（必要に応じて１つよりも多くのＢを含む）をいい、さらに別の実施形態においては、少なくとも１つのＡ（必要に応じて１つよりも多くのＡを含む）、ならびに、少なくとも１つのＢ（必要に応じて１つよりも多くのＢを含む）（そして必要に応じて他の要素を含む）などをいい得る。
【００６８】
特許請求の範囲ならびに上記の本明細書において、「含む（ｃｏｍｐｒｉｓｉｎｇ）」、「含む（ｉｎｃｌｕｄｉｎｇ）」、「有している（ｃａｒｒｙｉｎｇ）」、「有する（ｈａｖｉｎｇ）」、「含む（ｃｏｎｔａｉｎｉｎｇ）」、「伴う（ｉｎｖｏｌｖｉｎｇ）」、「保持する（ｈｏｌｄｉｎｇ）」、などのようなすべての移行句は、オープンエンド、すなわち、含むがそれに限定されないと理解されるべきである。米国特許庁審査便覧セクション２１１１，０３に記載されている、移行句「〜からなる」および「本質的に〜からなる」だけが、それぞれ排他的または半排他的な移行句であるべきである。
一実施形態において、例えば、以下の項目が提供される。
（項目１）
外相と、該外相の中に分散された複数の液滴とを含む乳剤であって、該複数の液滴の少なくとも一部が２つまたは それよりも多くの成分を含み、該２つまたはそれよりも多くの成分が第１の温度で実質的に混和性であり、該２つまたはそれよりも多くの成分が第２の温度で実質的に非混和性である乳剤。
（項目２）
項目１に記載の乳剤であって、前記２つまたはそれよりも多くの成分が前記第１温度および前記第２温度で前記外相と混和しない乳剤。
（項目３）
項目１に記載の乳剤であって、前記液滴の一部が、第１成分を含む第１相と、第２成分を含む第２相とを含む乳剤。
（項目４）
項目３に記載の乳剤であって、前記第２温度で、前記第２相が前記第１相の中に封入される乳剤。
（項目５）
項目３に記載の乳剤であって、前記第２温度で、前記第２相が前記第１相の中に部分的に封入される乳剤。
（項目６）
項目１に記載の乳剤であって、前記第１温度が前記第２温度よりも高い乳剤。
（項目７）
項目６に記載の乳剤であって、前記第１温度が、前記２つまたはそれよりも多くの成分の上限共溶温度よりも高い乳剤。
（項目８）
項目６に記載の乳剤であって、前記第２温度が、前記２つまたはそれよりも多くの成分の上限共溶温度よりも低い乳剤。
（項目９）
項目１に記載の乳剤であって、前記第１温度が前記第２温度よりも低い乳剤。
（項目１０）
項目９に記載の乳剤であって、前記第１温度が、前記２つまたはそれよりも多くの成分の下限共溶温度よりも低い乳剤。
（項目１１）
項目９に記載の乳剤であって、前記第２温度が、前記２つまたはそれよりも多くの成分の下限共溶温度よりも高い乳剤。
（項目１２）
項目１に記載の乳剤であって、前記２つまたはそれよりも多くの成分がヤヌス液滴を形成する乳剤。
（項目１３）
項目１に記載の乳剤であって、前記２つまたはそれよりも多くの成分の少なくとも１つが炭化水素、フッ化炭素、シリコーン、サーモトロピック液晶、イオン性液体、それらの組み合わせ、またはそれらの誘導体を含む乳剤。
（項目１４）
項目１に記載の乳剤であって、前記２つまたはそれよりも多くの成分の少なくとも１つがポリマーを含む乳剤。
（項目１５）
項目１に記載の乳剤であって、前記２つまたはそれよりも多くの成分の少なくとも１つがサーモトロピック液晶を含む乳剤。
（項目１６）
項目１に記載の乳剤であって、前記外相が水相である乳剤。
（項目１７）
項目１に記載の乳剤であって、前記外相が非水相である乳剤。
（項目１８）
項目１７に記載の乳剤であって、前記非水相が炭化水素、フッ化炭素、シリコーン、それらの組み合わせ、またはそれらの誘導体を含む乳剤。
（項目１９）
項目１に記載の乳剤であって、両親媒性化合物を含む乳剤。
（項目２０）
項目１９に記載の乳剤であって、前記両親媒性化合物が、イオン性界面活性剤、非イオン性界面活性剤、両性界面活性剤、ポリマー、タンパク質、ＤＮＡ、ＲＮＡ、酸、炭水化物、糖類、酵素、クロモフォア、脂質、酸化グラフェン、それらの組み合わせ、およびそれらの誘導体からなる群から選択される乳剤。
（項目２１）
項目１９に記載の乳剤であって、前記両親媒性化合物が過フッ素化セグメントまたはエチレングリコールセグメントを含む乳剤。
（項目２２）
項目１９に記載の乳剤であって、前記両親媒性化合物が金属錯体を含む乳剤。
（項目２３）
項目１９に記載の乳剤であって、前記両親媒性化合物は、前記外相中で、前記２つまたはそれよりも多くの成分中での混和性よりも良い混和性を有する乳剤。
（項目２４）
項目１９に記載の乳剤であって、前記両親媒性化合物は、前記２つまたはそれよりも多くの成分の少なくとも１つにおいて、前記外相中での前記両親媒性化合物の混和性よりも良い混和性を有する乳剤。
（項目２５）
項目１９に記載の乳剤であって、前記外相と前記複数の液滴との間の境界が前記両親媒性化合物を含む乳剤。
（項目２６）
項目１９に記載の乳剤であって、前記２つまたはそれよりも多くの成分の第１成分と、前記２つまたはそれよりも多くの成分の第２成分との間の境界が前記両親媒性化合物を含む乳剤。
（項目２７）
乳剤を形成する方法であって、
流体の温度を第１温度に調節する工程であって、該流体が、該第１温度において、第１相と、該第１相に実質的に混和しない第２相とを含み、該第２相が実質的に互いに混和性の２つまたはそれよりも多くの成分を含む工程、
該流体を乳化する工程、および
該２つまたはそれよりも多くの成分が実質的に混和しなくなるように、該流体の温度を、第２温度に調節する工程
を含む方法。
（項目２８）
項目２７に記載の方法であって、前記流体の温度を、前記２つまたはそれよりも多くの成分が、第１成分と該第１成分の中に封入される第２成分とを含むように、前記第２温度に調節する工程を含む方法。
（項目２９）
項目２８に記載の方法であって、前記第２温度で、前記第２成分が前記第１成分の中に部分的に封入される方法。
（項目３０）
項目２７に記載の方法であって、前記第１温度が前記第２温度よりも高い方法。
（項目３１）
項目３０に記載の方法であって、前記第１温度が前記２つまたはそれよりも多くの成分の上限共溶温度よりも高い方法。
（項目３２）
項目３０に記載の方法であって、前記第２温度が前記２つまたはそれよりも多くの成分の上限共溶温度よりも低い方法。
（項目３３）
項目２７に記載の方法であって、前記第１温度が前記第２温度よりも低い方法。
（項目３４）
項目３３に記載の方法であって、前記第１温度が前記２つまたはそれよりも多くの成分の下限共溶温度よりも低い方法。
（項目３５）
項目３３に記載の方法であって、前記第２温度が前記２つまたはそれよりも多くの成分の下限共溶温度よりも高い方法。
（項目３６）
項目２７に記載の方法であって、前記流体の温度を前記２つまたはそれよりも多くの成分がヤヌス粒子を形成するような前記第２温度に調節することを含む方法。
（項目３７）
項目２７に記載の方法であって、前記２つまたはそれよりも多くの成分の少なくとも１つが炭化水素、フッ化炭素、シリコーン、サーモトロピック液晶、水、イオン性液体、それらの組み合わせ、またはそれらの誘導体を含む方法。
（項目３８）
項目２７に記載の方法であって、前記２つまたはそれよりも多くの成分の少なくとも１つがポリマーを含む方法。
（項目３９）
項目２７に記載の方法であって、前記２つまたはそれよりも多くの成分の少なくとも１つがサーモトロピック液晶を含む方法。
（項目４０）
項目２７に記載の方法であって、前記第１相が水相である方法。
（項目４１）
項目２７に記載の方法であって、前記第１相が非水相である方法。
（項目４２）
項目４１に記載の乳剤であって、前記非水相が、炭化水素、フッ化炭素、シリコーン、それらの組み合わせ、またはそれらの誘導体を含む乳剤。
（項目４３）
項目２７に記載の方法であって、前記流体を乳化する工程が、超音波処理、高せん断力混合（ｓｈｅｅｒ）、振とう、前記流体を膜を通過させること、または小径のチャネルを通して前記２つまたはそれよりも多くの成分を前記外相へと注入することを含む方法。
（項目４４）
項目２７に記載の方法であって、前記流体が両親媒性化合物を含む方法。
（項目４５）
項目２７に記載の方法であって、両親媒性化合物が前記第１相と前記第２相との間に配置されるように、前記流体に該両親媒性化合物を添加する工程をさらに含む方法。
（項目４６）
項目２７に記載の方法であって、両親媒性化合物が前記２つまたはそれよりも多くの成分の少なくとも２つの間に配置されるように、前記流体に該両親媒性化合物を添加する工程をさらに含む方法。
【図１Ａ】
2020199503.tif 000002
【図１Ｂ】
2020199503.tif 000003
【図２】
2020199503.tif 000004
【図３Ａ】
2020199503.tif 000005
【図３Ｂ】
2020199503.tif 000006
【図４Ａ】
2020199503.tif 000007
【図４Ｂ】
2020199503.tif 000008
【図４Ｃ】
2020199503.tif 000009
【図５】
2020199503.tif 000010
【外国語明細書】
2020199503000001.pdf